(57)【特許請求の範囲】
【請求項１】
中央精算機とその中央精算機に接続される複数の鎖錠型駐車機とからなり、その中央精算機に所定の鎖錠型駐車機に係る駐車料金が投入されたことを条件にその所定の鎖錠型駐車機を解錠して車両の退出を可能とする中央集中型精算機システムにおいて、
前記各鎖錠型駐車機の電源ＯＮ、入庫、駐車料金及びフラップ上昇開始等の動作状況の履歴データを発生時刻とともにそれぞれ収集するデータ収集手段と、
前記各鎖錠型駐車機でそれぞれ収集された履歴データを前記中央精算機に送信するまでそれら各鎖錠型駐車機においてそれぞれ記憶する記憶手段と、
前記各鎖錠型駐車機からそれぞれ送信されてきた履歴データの内容を前記中央精算機を操作する係員を特定するパスワードの入力を下に表示させ又はプリントアウトする出力手段と、
を有することを特徴とする中央集中型精算機システム。
【請求項２】
請求項１に記載の中央集中型精算機システムにおいて、各鎖錠型駐車機からそれぞれ送信されてきた履歴データを管理センタへ送出する送出手段を設けたことを特徴とする中央集中型精算機システム。
【請求項３】
請求項１に記載の中央集中型精算機システムにおいて、出力手段は、中央精算機で表示させ又はプリントアウトすることなく各鎖錠型駐車機からそれぞれ送信されてきた履歴データを管理センタへ送出させるものであることを特徴とする中央集中型精算機システム。
【発明の詳細な説明】
【０００１】
【発明の属する技術分野】
本発明は、有料駐車場に設けられる多数の鎖錠型駐車機を一つの中央精算機で集中的に処理できるようにした中央集中型精算機システムに関する。
【０００２】
【従来の技術】
従来、この種の中央集中型精算機システムは、有料駐車場の出入口に設けられた一つの中央精算機と、この中央精算機に接続された複数の鎖錠型駐車機とから構成されている。そして、この中央精算機は、所定の鎖錠型駐車機に係る駐車料金がその中央精算機に投入されたことを条件にその所定の鎖錠型駐車機を解錠して車両（自動車）の退出を可能とすることができるように構成されている。
【０００３】
【発明が解決しようとする課題】
しかしながら、上記従来の中央集中型精算機システムは、各鎖錠型駐車機の動作状況等の履歴を記憶しておく記憶手段を備えておらず、したがって、トラブルが生じた場合、そのトラブルの状態がどのような状況にあったかを解析するのに困難な場合があった。
【０００４】
そこで、本発明は、上記欠点を解決するためになされたものであって、その目的は、鎖錠型駐車機の動作状況等の履歴を記憶しておくことのできる中央集中型精算機システムを提供することにある。
【０００５】
【課題を解決するための手段】
本発明に係る中央集中型精算機システムは、上記目的を達成するために、中央精算機とその中央精算機に接続される複数の鎖錠型駐車機とからなり、その中央精算機に所定の鎖錠型駐車機に係る駐車料金が投入されたことを条件にその所定の鎖錠型駐車機を解錠して車両の退出を可能とする中央集中型精算機システムにおいて、前記各鎖錠型駐車機の電源ＯＮ、入庫、駐車料金及びフラップ上昇開始等の動作状況の履歴データを発生時刻とともにそれぞれ収集するデータ収集手段と、前記各鎖錠型駐車機でそれぞれ収集された履歴データを前記中央精算機に送信するまでそれら各鎖錠型駐車機においてそれぞれ記憶する記憶手段と、前記各鎖錠型駐車機からそれぞれ送信されてきた履歴データの内容を前記中央精算機を操作する係員を特定するパスワードの入力を下に表示させ又はプリントアウトする出力手段と、を有することを特徴としている。
本発明の請求項２に記載の中央集中型精算機システムは、各鎖錠型駐車機からそれぞれ送信されてきた履歴データを管理センタへ送出する送出手段を設けたことを特徴としている。
本発明の請求項３に記載の中央集中型精算機システムは、出力手段は、中央精算機で表示させ又はプリントアウトすることなく各鎖錠型駐車機からそれぞれ送信されてきた履歴データを管理センタへ送出させるものであることを特徴としている。
【０００６】
【発明の実施の形態】
以下、本発明の実施の形態を図面に基づいて説明する。図１は、一実施の形態に係る中央集中型精算機システムを適用した有料のＡ駐車場の平面図であって、そのＡ駐車場の出入口には中央精算機１が設けられ、また、そのＡ駐車場の各駐車スペースＳ1 ，Ｓ2 …にはロック板式（フラップ式）の鎖錠型駐車機（以下、「駐車機」という。）ａ1 ，ａ2 …がそれぞれ設置されている。
【０００７】
各駐車機ａ1 ，ａ2 …は、各駐車スペースＳ1 ，Ｓ2 …の地面の片側中央部にそれぞれ設けられている。駐車機ａ1 を例にさらに説明すると、駐車機ａ1 は、駐車した車両の片側の前後の車輪Ｗ，Ｗで、その車輪Ｗ，Ｗを結ぶ線と駐車機ａ1 の長手方向とが直交する関係を保って設けられている。そして、この駐車機ａ1 は、周知のロック板式の駐車機で用いられている機構と同様に、図示しないが、直流のモータの回転軸とロック板（フラップ）の回転軸とを、平歯車の組合せを介して連結され、ロック板が車両の通過を許す水平位置まで回動するとともに、車両の通過を阻止する起立位置まで回動することができるように構成されている。
【０００８】
各駐車機ａ1 ，ａ2 …には、制御器ｂ，ｂ…がそれぞれ設けられていて、中央精算機１に通信回線Ｌ1 を介して接続されている。なお、各駐車機ａ1 ，ａ2 …には、車両の有無を検出するセンサ等が設けられているが、この図１では省略されている。
【０００９】
中央精算機１は、その筐体２の開閉扉３の上部に接客面４が設けられている。そして、その接客面４には、中央精算機１の稼動状態を表示する表示部５、利用者へ所定の案内を行う案内部６、精算料金（駐車料金）を表示する料金表示部７、駐車スペース（Ｓ1 〜Ｓn ）番号を表示する駐車位置表示部８、その駐車位置表示部８に駐車位置を設定するテンキーからなる入力部９、精算料金の硬貨を投入する硬貨投入口１０、精算料金の紙幣を挿入する紙幣挿入口１１、及び精算料金をプリペイドカード等のカードで支払うときのそのカードを挿入するカード挿入口１２が設けられている。
【００１０】
図１中、１３は、開閉扉３の下部に設けられている釣銭及びレシートを排出する釣銭放出口であり、また、１４は、開閉扉３を施錠するためのロック機構である。そして、１５は、中央精算機１を統括的に制御するＣＰＵを中心に形成された制御器である。
【００１１】
図２は、中央精算機１に設けられる制御器１５の電気的構成を示すブロック図であって、その制御器１５は、ＣＰＵを中心に形成される制御部２０を有している。この制御部２０は、ＲＯＭ２１に格納されているシステムプログラム及びＲＡＭ２２に格納されているワーキングデータを用いて所定の演算処理を行うように構成されている。この制御部２０には、時刻を計測する時計ユニット２３と、カード挿入口１２から挿入されたカードを処理するためのカード処理ユニット２４と、所定の内容をプリントアウトするプリンタ２５と、係員操作部２６とが接続されている。プリンタ２５及び係員操作部２６は、開閉扉３を開いたときの筐体２内に設けられている。
【００１２】
制御部２０には、Ｉ／Ｏユニット２７を介して各駐車機ａ1 ，ａ2 …と通信を行うためのデータ通信部２８と、料金表示部７に駐車料金を表示させる料金表示ドライバ２９と、硬貨投入口１０等から投入された金銭額を料金表示部７に表示させる投入金表示ドライバ３０と、案内部６の案内ランプを点灯表示させる操作案内表示ドライバ３１と、図示しないスピーカを介して利用者へ所定の音声案内を行うための音声案内ドライバ３２と、入力部９から駐車番号（Ｓ1 〜Ｓn ）を入力するための駐車番号入力ドライバ３３と、入力部９から精算取消信号を入力するための精算取消ドライバ３４と、入力部９から領収書の発行信号を入力するための領収書発行ドライバ３５と、紙幣挿入口１１から挿入された紙幣を検銭処理する紙幣処理ユニット３６と、硬貨投入口１０から投入された金銭を検銭し、必要に応じて釣銭放出口１３に釣銭を排出する硬貨処理ユニット３７とが接続されている。
【００１３】
図３は、各駐車機ａ1 ，ａ2 …にそれぞれ設けられている制御器ｂの電気的構成を示すブロック図であって、この制御部５０は、ＲＯＭ５１に格納されているシステムプログラム及びＲＡＭ５２に格納されているワーキングデータを用いて所定の演算処理を行うように構成されている。この制御部５０には、時刻を計測する時計ユニット５３が接続されている。
【００１４】
制御部５０は、Ｉ／Ｏユニット５４を介して中央精算機１と通信を行うためのデータ通信部５５と、図１では省略されている未精算状態を報知するランプを点灯するための未精算（有料）表示ドライバ５６と、精算料金の投入状態を表示するランプ（図示せず）を点灯するための投入金表示ドライバ５７と、車両の有無を検知するセンサアンプ５８と、駐車機のロック板（フラップ）を駆動するフラップ駆動ドライバ５９とが接続されている。
【００１５】
図４は、Ａ駐車場に設けられている中央精算機１を図１では省略されている管理センタ６０に通信回線Ｌ2 を介して接続されている状態を示している。すなわち、中央精算機１の制御器１５は、図示しない通信制御部を介して管理センタ６０に接続されている。この管理センタ６０は、ホストコンピュータを中心に構成されていて、Ａ駐車場のみならず、他のＢ駐車場，Ｃ駐車場…等の各駐車場を管理制御できるように構成されている。
【００１６】
以下、図５〜図７のフローチャート及び図８の係員操作部のタッチパネルからなる表示画面Ｄの表示例を基に説明する。図５は、各駐車機ａ1 ，ａ2 …（各駐車機ａ1 ，ａ2 …は同一構成であるので、以下、駐車機ａ1 を例に説明する。）における履歴データの収集制御動作を示している。すなわち、駐車機ａ1 は、駆動が開始されると後述する事象発生毎に駐車機ａ1 の動作状況の履歴データがＲＡＭ５２に記録されるので（ステップ１００。以下、ステップを「Ｓ」とする。）、その記録された履歴データが送信可能状態であれば（Ｓ１０２肯定）、中央精算機１に送信される（Ｓ１０４）。送信可能状態でなければ、送信可能状態になるまで記憶される。中央精算機１に履歴データが送信されると、その送信された履歴データはＲＡＭ５２から消去される（Ｓ１０６）。
【００１７】
上述の履歴データの内容としては、以下のものがあげられ、これらは、時計ユニット５３で計測された発生時刻とともに収集される。
電源ＯＮ、入車、駐車料金有料、フラップ上昇開始、フラップ上昇完了、精算時刻、フラップ下降開始、フラップ下降完了、出車、駐車料金再有料、不正脱出、フラップ上昇／下降異常、車両感知センサ異常、停電、中央精算機通信異常。
【００１８】
図６は、中央精算機１の制御器１５の制御動作を示している。すなわち、この中央精算機１は、データ通信部２８を介して駐車機ａ1 から履歴データを受信すると（Ｓ２００肯定）、その受信された履歴データはＲＡＭ２２に記憶される  （Ｓ２０２）。また、受信された履歴データは、管理センタ６０から要求があったとき（Ｓ２００否定、Ｓ２０４肯定）、その受信された履歴データは、管理センタ６０ヘ送信される（Ｓ２０６）。管理センタ６０へ送信される履歴データは、ＲＡＭ２２に記憶されたものを送信するようにしてもよい。
【００１９】
図７は、筐体２内に設けられている係員操作部（図１では省略されている。）の制御動作を示していて、この係員操作部は、タッチパネルからなる表示画面Ｄ（図８参照）を備えて構成されている。
【００２０】
先ず、この表示画面Ｄは、図８（ａ）に示されるような初期画面に設定されている。そして、この初期画面からメニュー画面が選択されると（Ｓ３００肯定）、表示画面Ｄは、図８（ｂ）に示されるメニュー選択画面に変化する。そして、そのメニュー画面から所定の釦が選択されると、例えば、保守釦が選択（押下）されると（Ｓ３０２肯定）、表示画面Ｄの表示内容は、パスワード入力画面に変化する（図８（ｃ）参照）。
【００２１】
パスワードは、中央精算機１の保守を担当した係員の識別番号（ＩＤ）で、このパスワードが入力されると（Ｓ３０４肯定）、中央精算機１は、保守モードに設定される（図８（ｄ）参照）。このように、パスワードを入力して係員操作部を操作できるようにしているので、安全性を確保することができるとともに、操作した係員を特定することができる。
【００２２】
設定された保守モードの中から所定の保守作業が選択され（Ｓ３０６肯定。図８（ｅ））、かつ、駐車機の番号（例えば、駐車機ａ1 の駐車スペース番号の  「Ｓ1 」）が入力されると、その駐車機ａ1 の履歴データの内容が表示画面Ｄに表示され、印刷釦が押下されるとその内容が図示しないプリンタを介して印字される（Ｓ３０８。図８（ｆ），（ｇ）参照）。
【００２３】
表示画面Ｄの初期画面の中から集計／金額釦が押下されると、中央精算機１は、集計モードに設定されて売上金の集計内容が表示され、必要に応じてプリントアウトされる（Ｓ３００否定、Ｓ３１０肯定、Ｓ３１２）。
【００２４】
また、メニュー画面（図８（ｂ）参照）を選択することにより、中央精算機１を所定のモードに設定することができ（Ｓ３０２否定、Ｓ３０３）、さらに、保守の内容も所定の項目を選択することができる（Ｓ３０６否定、Ｓ３０７）。
【００２５】
上述の係員操作部の操作は、管理センタ６０によって行うこともできる。すなわち、管理センタ６０のホストコンピュータには、係員操作部と同様の入出力機器が設けられているので、その入出力機器を用いて履歴データの内容を表示させ、必要に応じてプリントアウトすることができる。
【００２６】
【発明の効果】
本発明に係る中央集中型精算機システムは、各駐車機の電源ＯＮ、入庫、駐車料金及びフラップ上昇開始等の動作状況の履歴データを発生時刻とともにそれぞれ収集するデータ収集手段と、前記各鎖錠型駐車機でそれぞれ収集された履歴データを前記中央精算機に送信するまでそれら各鎖錠型駐車機においてそれぞれ記憶する記憶手段と、前記各鎖錠型駐車機からそれぞれ送信されてきた履歴データの内容を前記中央精算機を操作する係員を特定するパスワードの入力を下に表示させ又はプリントアウトする出力手段とからなるので、簡単に履歴データの内容を確認することができる。
本発明の請求項２に係る中央集中型精算機システムは、各鎖錠型駐車機からそれぞれ送信されてきた履歴データを管理センタへ送出する送出手段を設けたので、管理センタにおいても履歴データを確認することができる。
本発明の請求項３に係る中央集中型精算機システムは、出力手段は、中央精算機で表示させ又はプリントアウトすることなく各鎖錠型駐車機からそれぞれ送信されてきた履歴データを管理センタへ送出させるものであるので、管理センタにおいても履歴データを確認することができる。
【図面の簡単な説明】
【図１】本発明の一実施の形態に係る中央集中型精算機システムの概略構成図である。
【図２】制御器のブロック図である。
【図３】制御器のブロック図である。
【図４】管理センタへの接続状態を示すブロック図である。
【図５】制御動作を示すフローチャートである。
【図６】制御動作を示すフローチャートである。
【図７】制御動作を示すフローチャートである。
【図８】表示画面の表示例である。
【符号の説明】
１  中央精算機
２  筐体
４  接客面
Ｄ  表示画面
１５  制御器
Ｓ1 〜Ｓn   駐車スペース
ａ1 〜ａn   鎖錠型駐車機（駐車機）
ｂ  制御器
Ｌ1 ，Ｌ2   通信回線
６０  管理センタ
【図１】
0003664991.tif 000002
【図２】
0003664991.tif 000003
【図３】
0003664991.tif 000004
【図４】
0003664991.tif 000005
【図５】
0003664991.tif 000006
【図６】
0003664991.tif 000007
【図７】
0003664991.tif 000008
【図８】
0003664991.tif 000009